(57)【要約】【課題】表示手段で画像表示を行う際に所望の音を鳴らすことができ、しかも表示装置にかかる負荷を軽減できる住宅設備監視システムを提供することにある。【解決手段】住宅設備監視システムは、宅内ネットワークを構成する複数のコントローラと表示制御装置ＣＶとを備え、前記コントローラは、宅内ネットワークを通じて複数のウェブページを提供するウェブサーバ機能を有し、表示制御装置ＣＶは、宅内ネットワークを通じてデータ通信を行う通信手段１０ａと、ウェブページを表示する表示部１２と、通信手段１０ａを介して受け取ったウェブページを表示手段１２に表示させるウェブブラウザ手段１０ｂと、スピーカ部１５とを有して成り、ウェブブラウザ手段１０ｂは、表示部１２に表示させるウェブページのソースにスピーカ部１５を鳴動させる鳴動用タグが含まれている場合には、鳴動用タグに基づいてスピーカ部１５を鳴動させるように構成されている。【選択図】図１
2008104123.tif 000002
【特許請求の範囲】
【請求項１】
住宅内に設置された複数の住宅設備と、前記複数の住宅設備と伝送路を介して接続され前記複数の住宅設備とともに宅内ネットワークを構成する１乃至複数の表示装置とを備え、前記住宅設備は、前記表示装置から前記宅内ネットワークを通じて伝送される要求メッセージに基づいた応答メッセージとしてウェブページを前記表示装置に前記宅内ネットワークを通じて提供するウェブサーバ手段を有し、前記表示装置は、表示手段と、前記宅内ネットワークを通じて受け取ったウェブページを前記表示手段に表示させるウェブブラウザ手段と、音発生手段とを有し、前記ウェブブラウザ手段は、前記表示手段に表示させるウェブページのソースファイルに前記音発生手段を鳴動させる鳴動用タグが含まれている場合には、前記鳴動用タグに基づいて前記音発生手段を鳴動させるように構成されていることを特徴とする住宅設備監視システム。
【請求項２】
前記鳴動用タグが前記音発生手段の鳴動方法に関する情報を有していれば、前記ウェブブラウザ手段は、前記鳴動方法に則して前記音発生手段を鳴動させるように構成されていることを特徴とする請求項１記載の住宅設備監視システム。
【請求項３】
前記表示装置は、前記音発生手段を鳴動させる音データが記憶された記憶手段を有し、前記ウェブブラウザ手段は、音データを指定する音データ指定情報を有する鳴動用タグがソースファイルに含まれているウェブページを受け取った際に、前記ウェブページを前記表示手段に表示させるとともに、前記音データ指定情報で指定された音データを記憶手段より取得して前記音発生手段を鳴動させるように構成されていることを特徴とする請求項１又は請求項２記載の住宅設備監視システム。
【請求項４】
前記ウェブブラウザ手段は、音データを指定する音データ指定情報を有する鳴動用タグがソースファイルに含まれているウェブページと、当該音データ指定情報で指定された音データとを受け取った際に、前記ウェブページを前記表示手段に表示させるとともに、前記受け取った音データにより前記音発生手段を鳴動させるように構成されていることを特徴とする請求項３記載の住宅設備監視システム。
【請求項５】
前記鳴動用タグに当該鳴動用タグが有する音データ指定情報で指定された音データを前記表示装置に記憶するように指示する指示情報が含まれていれば、前記表示装置は、前記音データ指定情報で指定された音データを前記記憶手段に記憶するように構成されていることを特徴とする請求項４記載の住宅設備監視システム。
【請求項６】
前記ウェブブラウザ手段は、前記表示手段に表示させる前記ウェブページのソースファイルに前記鳴動用タグが含まれていない場合には、前記音発生手段を停止させるように構成されていることを特徴とする請求項１〜５のいずれか１項に記載の住宅設備監視システム。
【請求項７】
前記表示装置は、前記音発生手段を鳴動させる音データが記憶された記憶手段を有し、前記ウェブブラウザ手段は、前記記憶手段に記憶されていない音データを指定する音データ指定情報と当該音データ指定情報で指定された音データの保管場所を示す保管場所情報とを有する鳴動用タグがソースファイルに含まれたウェブページを受け取った際に、前記保管場所から前記音データを取得して前記記憶手段に記憶するように構成されていることを特徴とする請求項１〜６のいずれか１項に記載の住宅設備監視システム。
【請求項８】
前記住宅設備は、住宅内に設置された複数の住宅設備の監視又は制御を行い前記複数の住宅設備とともにサブシステムを構成するコントローラからなり、前記コントローラは、前記表示装置から前記宅内ネットワークを通じて伝送される要求メッセージに基づいて行った前記住宅設備の監視又は制御の結果を示す応答メッセージとして前記監視又は制御に関わる内容を含んだウェブページを前記表示装置に前記宅内ネットワークを通じて提供するウェブサーバ手段とを有していることを特徴とする請求項１〜７のいずれか１項に記載の住宅設備監視システム。
【請求項９】
前記宅内ネットワークに宅外ネットワークを通じて接続されたセンタ装置を備え、センタ装置は、ウェブページを前記宅内ネットワーク及び前記宅外ネットワークを通じて前記表示装置に提供するウェブサーバ手段を有していることを特徴とする請求項１〜８のいずれか１項に記載の住宅設備監視システム。
【発明の詳細な説明】
【技術分野】
【０００１】
本発明は、住宅内に設置された住宅設備、例えば、エアコンや照明器具あるいは種々のセキュリティ機器などの監視を行う住宅設備監視システムに関するものである。
【背景技術】
【０００２】
従来から、エアコンや照明器具あるいは種々のセキュリティ機器などの住宅設備の監視（あるいは、監視と制御）を行う住宅設備監視システムが提供されている（例えば、特許文献１参照）。そして、かかる住宅設備監視システムは、住宅設備の監視（あるいは、監視と制御）に関わる情報（例えば、エアコンや照明器具の動作状態、セキュリティ機器である火災感知器の動作状態など）を表示デバイス（ＣＲＴやＬＣＤ）に表示することで前記情報を認識し易くするものとして表示装置を備えている。
【特許文献１】特開２００４−１３５１９７号公報
【発明の開示】
【発明が解決しようとする課題】
【０００３】
ところで、従来の表示装置においては、監視対象である住宅設備に何らかのイベント（例えば、火災感知器による火災発生検知など）が発生したとき、当該イベントに対する監視結果の情報（例えば、火災発生検知並びに火災発生の警報等）を有するデータを受け取って画面に表示するように構成されている。また、表示装置では、イベントの表示を行う際に、そのイベントがどの種類のイベントであるかを分類して、例えば、警報イベント、報知イベント、お知らせイベントのいずれかに当て嵌め、そのイベントの種類に応じて表示装置に設けたスピーカ等を鳴動させるように構成されている。
【０００４】
つまり、従来の住宅設備監視システムにおける表示装置では、イベントの種類によってスピーカから発せられる音が予め決定されており、表示装置での画像表示が行われる際に、スピーカから発せられる音を所望の音に変更することができなかった。
【０００５】
また、従来の住宅設備監視システムでは、表示装置がイベントに対する監視結果の情報を有するデータを受け取った際に、当該データの内容を解釈し、その内容に応じて表示する画面と出力する音とを判断するように構成されているから、表示装置に負荷が集中し、表示装置の処理速度が遅くなってしまうという問題があった。このような問題を解決して表示装置の処理速度を向上するためには、表示装置のＣＰＵ等を性能のよいものに交換すればよいが、当然ながら、表示装置の製造コストが高くなるという別の問題が生じることになる。
【０００６】
本発明は上述の点に鑑みて為されたもので、その目的は、表示手段で画像表示を行う際に所望の音を鳴らすことができ、しかも表示装置にかかる負荷を軽減できる住宅設備監視システムを提供することにある。
【課題を解決するための手段】
【０００７】
上述の課題を解決するために、請求項１の発明では、住宅内に設置された複数の住宅設備と、前記複数の住宅設備と伝送路を介して接続され前記複数の住宅設備とともに宅内ネットワークを構成する１乃至複数の表示装置とを備え、前記住宅設備は、前記表示装置から前記宅内ネットワークを通じて伝送される要求メッセージに基づいた応答メッセージとしてウェブページを前記表示装置に前記宅内ネットワークを通じて提供するウェブサーバ手段を有し、前記表示装置は、表示手段と、前記宅内ネットワークを通じて受け取ったウェブページを前記表示手段に表示させるウェブブラウザ手段と、音発生手段とを有し、前記ウェブブラウザ手段は、前記表示手段に表示させるウェブページのソースに前記音発生手段を鳴動させる鳴動用タグが含まれている場合には、前記鳴動用タグに基づいて前記音発生手段を鳴動させるように構成されていることを特徴とする。
【０００８】
請求項１の発明によれば、ウェブページのソースファイルに音鳴動用タグが含まれている場合に、音鳴動用タグに基づいて音発生手段を鳴動させるウェブブラウザ手段を表示装置に設けているから、表示装置で画像を表示させる際に所望の音を鳴らすことができるという効果を奏し、また表示装置は、ウェブページを受け取った際にそのウェブページを表示手段に表示させるとともに、ウェブページのソースァイルに含まれる鳴動用タグに基づいて音発生手段を鳴動させるから、どの画像を表示手段に表示させるか或いはどの音を音発生手段から出力させるかといった判断を表示装置に行わせる必要がなくなり、従来のように表示装置が受け取ったデータに基づいて表示する画面と出力する音との両方を判断するような場合に比べて、表示装置にかかる負荷を軽減できるという効果を奏する。
【０００９】
請求項２の発明では、請求項１の発明において、前記鳴動用タグが前記音発生手段の鳴動方法に関する情報を有していれば、前記ウェブブラウザ手段は、前記鳴動方法に則して前記音発生手段を鳴動させるように構成されていることを特徴とする。
【００１０】
請求項２の発明によれば、表示装置の音発生手段の鳴動方法を鳴動用タグによって指定することができるから、各サブシステムの状況等に応じて効果的な音で音発生手段を鳴動させることが可能になるという効果を奏する。
【００１１】
請求項３の発明では、請求項１又は請求項２の発明において、前記表示装置は、前記音発生手段を鳴動させる音データが記憶された記憶手段を有し、前記ウェブブラウザ手段は、音データを指定する音データ指定情報を有する鳴動用タグがソースに含まれているウェブページを受け取った際に、前記ウェブページを前記表示手段に表示させるとともに、前記音データ指定情報で指定された音データを記憶手段より取得して前記音発生手段を鳴動させるように構成されていることを特徴とする。
【００１２】
請求項３の発明によれば、音発生手段を鳴動させるための音データを表示装置の記憶手段に記憶させておけば、鳴動用タグをソースに含むウェブページを表示装置に伝送することによって、所望の音で表示装置の音発生手段を鳴動させることができるという効果を奏する。
【００１３】
請求項４の発明では、請求項３の発明において、前記ウェブブラウザ手段は、音データを指定する音データ指定情報を有する鳴動用タグがソースに含まれているウェブページと、当該音データ指定情報で指定された音データとを受け取った際に、前記ウェブページを前記表示手段に表示させるとともに、前記受け取った音データにより前記音発生手段を鳴動させるように構成されていることを特徴とする。
【００１４】
請求項４の発明によれば、表示装置にウェブページとともに当該ウェブページの鳴動用タグの音データ指定情報で指定された音データを伝送することによって、前記音データに基づいて表示装置の音発生手段を鳴動させることができるから、例えば宅内機器を増設した際に、増設した宅内機器で使用する音データが表示装置の記憶手段に記憶されていなくても、表示装置の取替え作業やバージョンアップ作業を行うことなしに、所望の音データに基づいて音発生手段を鳴動させることができるという効果を奏し、しかも表示装置の取替え作業やバージョンアップ作業を行う必要がないから、可用性（障害の発生し難さ）を高めることができるようになるという効果を奏する。
【００１５】
請求項５の発明では、請求項４の発明において、前記鳴動用タグに当該鳴動用タグが有する音データ指定情報で指定された音データを前記表示装置に記憶するように指示する指示情報が含まれていれば、前記表示装置は、前記音データ指定情報で指定された音データを前記記憶手段に記憶するように構成されていることを特徴とする。
【００１６】
請求項５の発明によれば、表示装置に伝送した音データを、表示装置の記憶手段に記憶させることができるので、表示装置の記憶手段に記憶されていない音データをその都度、表示装置に伝送する必要がなくなって、表示装置にはウェブページだけを伝送すれば済むようになるから、音データを伝送するために必要な時間を短縮できるようになるという効果を奏する。
【００１７】
請求項６の発明では、請求項１〜５のいずれか１項の発明において、前記ウェブブラウザ手段は、前記表示手段に表示させる前記ウェブページのソースに前記鳴動用タグが含まれていない場合には、前記音発生手段を停止させるように構成されていることを特徴とする。
【００１８】
請求項６の発明によれば、鳴動用タグをソースに含んでいないウェブページがウェブブラウザ手段によって表示手段に表示されることによって、音発生手段を停止させることが可能となるから、表示装置を直接操作しなくても、表示装置から離れた場所にあるコントローラを用いて表示装置の音発生手段を停止させることができるという効果を奏する。
【００１９】
請求項７の発明では、請求項１〜６のいずれか１項の発明において、前記表示装置は、前記音発生手段を鳴動させる音データが記憶された記憶手段を有し、前記ウェブブラウザ手段は、前記記憶手段に記憶されていない音データを指定する音データ指定情報と当該音データ指定情報で指定された音データの保管場所を示す保管場所情報とを有する鳴動用タグがソースに含まれたウェブページを受け取った際に、前記保管場所から前記音データを取得して前記記憶手段に記憶するように構成されていることを特徴とする。
【００２０】
請求項７の発明によれば、鳴動用タグの音データ指定情報で指定された音データが表示装置の記憶部に記憶されていない場合でも、鳴動用タグに音データ指定情報で指定された音データの保管場所を示す保管場所情報を持たせておくことによって、表示装置が保管場所から音データを取得して記憶部に記憶するから、例えば保管場所となるサーバ等を宅内ネットワークに接続しておき、サーバのメンテナンスを行うことによって音データのデータベースをアップデートすれば（サーバに所望の音データをアップロードすれば）、表示装置にサーバの音データをダウンロードさせることが可能となり、表示装置の取替え作業や、バージョンアップ作業を行ったりしなくても、所望の音データに基づいて音発生手段を鳴動させることができるようになるという効果を奏し、しかも表示装置の取替え作業やバージョンアップ作業を行う必要がないから、可用性（障害の発生し難さ）を高めることができるようになるという効果を奏する。
【００２１】
請求項８の発明では、請求項１〜７のいずれか１項の発明において、前記住宅設備は、住宅内に設置された複数の住宅設備の監視又は制御を行い前記複数の住宅設備とともにサブシステムを構成するコントローラからなり、前記コントローラは、前記表示装置から前記宅内ネットワークを通じて伝送される要求メッセージに基づいて行った前記住宅設備の監視又は制御の結果を示す応答メッセージとして前記監視又は制御に関わる内容を含んだウェブページを前記表示装置に前記宅内ネットワークを通じて提供するウェブサーバ手段とを有していることを特徴とする。
【００２２】
請求項８の発明によれば、複数の住宅設備とこれら複数の住宅設備の監視又は制御を行うコントローラとでサブシステムを構成し、コントローラそれぞれにウェブサーバ手段を設けているから、サブシステムを構成する全ての住宅設備それぞれにウェブサーバ手段を設けなくて済むようになって、ウェブサーバ手段用のリソースを削減でき、製造コストを低減できるという効果を奏する。特に、照明機器や空調機器等の一般的な住宅設備のように、ウェブサーバ手段を設けることができるようなハードウェア構成を有しておらず（ウェブサーバ手段を設けることができるような能力に設定されておらず）、ウェブサーバ手段用のリソースを新たに設ける必要がある住宅設備を複数採用する際に有効である。また、コントローラによって複数の住宅設備の監視結果又は制御結果をまとめたウェブページを表示装置にて表示することができるから、複数の住宅設備それぞれの監視結果又は制御結果をウェブページで個別に表示する場合とは異なり、複数の住宅設備の監視結果又は制御結果を一括して表示でき、使い易さを向上できるという効果を奏する。さらに、住宅設備監視システムに新たな監視又は制御の対象となる住宅設備が追加され、新しいウェブページの追加が必要になった場合でも、追加された住宅設備を監視又は制御の対象とするコントローラを新規なものに替えるだけでよく、住宅設備監視システムの拡張が容易になるという効果を奏する。
【００２３】
請求項９の発明では、請求項１〜８のいずれか１項の発明において、前記宅内ネットワークに宅外ネットワークを通じて接続されたセンタ装置を備え、センタ装置は、ウェブページを前記宅内ネットワーク及び前記宅外ネットワークを通じて前記表示装置に提供するウェブサーバ手段を有していることを特徴とする。
【００２４】
請求項９の発明によれば、宅外ネットワークに接続されているセンタ装置から宅内ネットワークに接続されている表示装置にウェブページを提供することができるから、例えば、住宅設備監視システムの更新情報や、センタ装置のメンテナンス情報、災害情報等、様々な情報を宅外からユーザに通知できるようになるという効果を奏する。
【発明の効果】
【００２５】
本発明は、ウェブページのソースファイルに音鳴動用タグが含まれている場合に、音鳴動用タグに基づいて音発生手段を鳴動させるウェブブラウザ手段を表示装置に設けているから、表示装置で画像を表示させる際に所望の音を鳴らすことができるという効果を奏し、また表示装置は、ウェブページを受け取った際にそのウェブページを表示手段に表示させるとともに、ウェブページのソースァイルに含まれる鳴動用タグに基づいて音発生手段を鳴動させるから、どの画像を表示手段に表示させるか或いはどの音を音発生手段から出力させるかといった判断を表示装置に行わせる必要がなくなり、従来のように表示装置が受け取ったデータに基づいて表示する画面と出力する音との両方を判断するような場合に比べて、表示装置にかかる負荷を軽減できるという効果を奏する。
【発明を実施するための最良の形態】
【００２６】
（実施形態１）
以下、住宅設備の監視だけでなく制御も行う住宅設備監視制御システムに本発明の技術思想を適用した実施形態について、図面を参照して詳細に説明する。
【００２７】
本実施形態の住宅設備監視制御システムは、図３に示すように住宅内に設置されたコントローラＣ１，Ｃ２，Ｃ３が住宅設備の制御並びに監視を行う複数（図示例では３つ）のサブシステムＳＳ１，ＳＳ２，ＳＳ３と、各サブシステムＳＳｎのコントローラＣｎ（ｎ＝１，２，３）と伝送路（エンハンスト・カテゴリ５若しくはカテゴリ６のＬＡＮケーブル）を介して接続される統合管理装置ＴＭと、統合管理装置ＴＭにＬＡＮケーブルを介して接続される複数（図示例では、２つ）の表示装置（画像表示付きの端末装置であって、例えば、パーソナルコンピュータＰＣ並びに表示制御装置ＣＶ）とを備え、これら複数のコントローラＣと統合管理装置ＴＭと表示装置とが汎用の通信プロトコル（ＴＣＰ／ＩＰ、ＵＤＰ、ＨＴＴＰ、ＨＴＴＰＳなど）を利用した宅内ネットワークを構成している。
【００２８】
この宅内ネットワークは、100BASE-TX（IEEE 802.3u）規格に準拠したローカルエリアネットワーク（ＬＡＮ）であって、ハブに相当する統合管理装置ＴＭに、ネットワーク端末に相当する各サブシステムＳＳｎのコントローラＣｎや表示装置（パーソナルコンピュータＰＣ並びに表示制御装置ＣＶ）などがスター配線で接続されている。さらに統合管理装置ＴＭは、インターネットに接続するための回線の種類（電話回線、ＣＡＴＶ回線、光ファイバ回線など）に応じてＡＤＳＬモデムやケーブルモデムあるいはＯＮＵ（Optical Network Unit）などのインターネット接続装置ＭＤと通信ケーブル（通常、ＬＡＮケーブル）によって接続され、インターネット接続装置ＭＤが介在することで宅内ネットワークが宅外ネットワーク（外部ネットワーク）たるインターネットに接続される。なお、この種のインターネット接続装置ＭＤは従来周知であるから詳細な構成についての図示並びに説明は省略する。
【００２９】
また、宅内ネットワークには住宅から離れた遠隔地に設置されたセンタ装置（センタサーバ）ＳＶがインターネットを通じて接続されており、後述するようにインターネットに接続可能なノート型のパーソナルコンピュータ、携帯電話機ＭＰ、ＰＤＡ（Personal Digital Assistance）等からなる携帯型の表示装置とセンタ装置ＳＶとの間でインターネットを介したデータ通信を行うことにより、例えば、携帯電話機ＭＰを使って外出先から住宅設備の制御や監視を行うことができる。
【００３０】
センタ装置ＳＶは、ネットワーク機能を有する汎用のコンピュータ装置で構成されており、携帯電話機ＭＰ等の表示装置からインターネットを通じて送信されるコントローラＣｎ宛のメッセージやコントローラＣｎから宅内ネットワークに属さない表示装置に宛て送信されるメッセージを中継する機能を有している。但し、上述のようなインターネット接続機能を有する携帯型の表示装置やセンタ装置ＳＶは従来周知であるから、詳細な構成についての図示並びに説明は省略する。
【００３１】
統合管理装置ＴＭは、図５に示すように、例えばそれぞれにＬＡＮケーブルを介してサブシステムＳＳｎのコントローラＣｎが接続される複数の通信ポート２０ｉ（ｉ＝１，２，…）と、ＬＡＮケーブルを介してインターネット接続装置ＭＤが接続される通信ポート２１と、通信ポート２０ｉと通信ポート２１との間の伝送経路を切り換えるとともに通信ポート２０ｉ，２１間で転送されるパケットの破棄や通信ポート２０ｉ又は通信ポート２１の遮断若しくは制限等の処理（以下、パケット処理と呼ぶ。）を実行するパケット処理部２２と、ＣＰＵを主構成要素としパケット処理部２２を制御して伝送経路を切り換えさせる機能（経路切換機能）やパケットに対するウイルスチェックやフィルタリング等を実行する機能（ネットワークセキュリティ機能）、サブシステムの構成管理機能（後述する）等を有する制御部２３と、コントローラＣｎやインターネット接続装置ＭＤのＭＡＣ（Media Access Control：媒体アクセス制御）アドレスやネットワークアドレス（プライベートのＩＰアドレス）、各サブシステムＳＳｎに関する制御情報や監視情報を記憶するための記憶部２４とを備えている。
【００３２】
通信ポート２０ｉ，２１は、ＬＡＮケーブルの先端に設けられているＲＪ−４５のモジュラプラグが挿抜自在に接続されるモジュラジャックを具備している。
【００３３】
パケット処理部２２は多数のスイッチ要素を具備し、制御部２３の経路切換機能によってスイッチ要素が駆動されることにより任意の１つの通信ポート２０ｉ又は通信ポート２１と他の１乃至複数の通信ポート２０ｉ又は通信ポート２１との間の伝送経路を切り換えたり、あるいは制御部２３のネットワークセキュリティ機能によって異常（例えば、不正なパケットやネットワークに支障を来すほど大量のパケットの流入または流出）が生じている通信ポート２０ｉ又は通信ポート２１を遮断若しくは制限したりするものである。
【００３４】
記憶部２４は不揮発性メモリからなり、各通信ポート２０ｉに接続されているコントローラＣｎや表示装置並びに通信ポート２１に接続されているインターネット接続装置ＭＤのＭＡＣアドレスやネットワークアドレスを各通信ポート２０ｉ及び通信ポート２１と対応させて記憶している。但し、通信ポート２０ｉ及び通信ポート２１に接続されているコントローラＣｎや表示装置並びにインターネット接続装置ＭＤのＭＡＣアドレスを取得する方法については従来周知であるから詳細な説明は省略する。また、各コントローラＣｎや表示装置のネットワークアドレス、すなわち、プライベート（あるいはローカルとも言う。）のＩＰアドレスについては、制御部２３がＤＨＣＰ（Dynamic Host Configuration Protocol）を用いて自動的に割り当てるようになっている。但し、ＤＨＣＰを用いたネットワークアドレスの自動割り当てについても従来周知であるから詳細な説明は省略する。
【００３５】
制御部２３は、通信ポート２０ｉ及び通信ポート２１からパケット処理部２２に入ってくるパケットの送信先のアドレス（ＭＡＣアドレス）を監視しており、例えば、通信ポート２１から入ってきたパケットの送信先のアドレスを記憶部２４に記憶しているＭＡＣアドレスと照合し、送信先のアドレスと一致するＭＡＣアドレスのコントローラＣｎや表示装置（例えば、表示制御装置ＣＶ）が接続されている通信ポート２０ｉと通信ポート２１との間にのみ伝送経路が形成されるようにパケット処理部２２を制御し、形成された伝送経路を介してパケットを通信ポート２０ｉに送り出させている（経路切換機能）。
【００３６】
また、制御部２３では、通信ポート２０ｉ及び通信ポート２１を通過するパケットを常時監視し、異常なパケットを破棄したり、あるいは上述のようにパケット処理部２２を制御して異常が生じている通信ポート２０ｉ又は通信ポート２１を遮断若しくは制限させている（ネットワークセキュリティ機能）。
【００３７】
さらに、制御部２３はＵＰｎＰ（ユニバーサル・プラグ・アンド・プレイ）のコントロールポイントの機能を実装しており、後述するようにＵＰｎＰにおいてデバイスの検出を行うＳＳＤＰ（Simple Service Discovery Protocol）を利用してＵＰｎＰのデバイスに相当する各コントローラＣｎを自動的に検出するようになっている。
【００３８】
ところで、統合管理装置ＴＭは、合成樹脂成形品からなる箱形のハウジング（図示せず）に上述した各部を収納して構成されているが、当該ハウジングは住宅内の壁面に設置されている住宅用分電盤（住宅盤）に収納可能となっている。但し、当該ハウジングの構造は一例であって、必ずしも住宅盤に収納される必要はない。
【００３９】
次に、個々のサブシステムＳＳｎについて説明する。
【００４０】
サブシステムＳＳ１は、照明器具や空調機器（エアコン）並びに電気錠等の住宅設備（設備機器）Ｘｍ（ｍ＝１，２，…）と、設備機器Ｘｍの制御並びに監視を行う住宅設備（宅内機器）であるコントローラ（以下、設備機器コントローラと呼ぶ。）Ｃ１と、住宅における使用電流を計測する電流計測装置Ｄとを備えている。
【００４１】
設備機器コントローラＣ１は、図６に示すように、例えばマイコンを主構成要素とする設備機器コントローラ制御部３０と、宅内ネットワークのＬＡＮケーブルが接続され設備機器コントローラ制御部３０と宅内ネットワークのインタフェースを行うＬＡＮインタフェース部３１と、日本電機工業会（ＪＥＭＡ）の統一規格に適合した設備機器Ｘ１（エアコンや給湯器など）と設備機器コントローラ制御部３０のインタフェースを行うＨＡ（ホームオートメーション）インタフェース部３２と、前記ＪＥＭＡ規格に適合したＨＡ端子（図示せず）を有するＨＡ端子部３３と、当該ＪＥＭＡ規格に適合しない設備機器Ｘ２（照明器具）への給電経路に挿入されるリレー（図示せず）を有するリレー端子部３５と、設備機器コントローラ制御部３０の制御下でリレー端子部３５が有するリレーを駆動する照明器具インタフェース部３４と、マイコンで実行するプログラムや設備機器Ｘ１，Ｘ２の動作状態などの制御情報及び監視情報を記憶するメモリ部３６と、電流計測装置Ｄとの間でデータ通信を行うためのローカルインタフェース部３７と、現在時刻を計時する計時部３８とを備えている。また、図示は省略しているが、設備機器コントローラＣは、商用電源から所望の直流電源を作成して設備機器コントローラ制御部３０やその他の各部に動作電源を供給するための電源回路（図示せず）とを備えている。
【００４２】
設備機器コントローラ制御部３０は、ＬＡＮインタフェース部３１を通じて表示装置から制御要求のメッセージを受け取ったときにＨＡインタフェース部３２或いは照明器具インタフェース部３４を介して各設備機器Ｘ１，Ｘ２を個別に制御して運転（照明器具Ｘ２の場合は点灯）と停止（照明器具Ｘ２の場合は消灯）を切り換え、ＬＡＮインタフェース部３１を通じて表示装置から監視要求のメッセージを受け取ったときにＨＡインタフェース部３２或いは照明器具インタフェース部３４を介して各設備機器Ｘ１，Ｘ２の動作状態（運転＜点灯＞又は停止＜消灯＞）を個別に取得するとともに、制御要求や監視要求に対する応答（各設備機器Ｘ１，Ｘ２の動作状態）のメッセージをＬＡＮインタフェース部３１より要求メッセージの送信元である表示装置に向けて送信させる機能（制御監視機能）を有する。また、設備機器コントローラ制御部３０は、自己の配下にある設備機器Ｘ１〜Ｘ４の名称並びに動作状態を文字や記号で表示するための多数のウェブページ（ウェブページ群）を保持しており、表示装置からの要求メッセージに応じて当該ウェブページ群の中から適切なウェブページ（例えば、表示装置から宅内ネットワークを通じて伝送される要求メッセージに基づいて行った設備機器Ｘ１，Ｘ２の監視又は制御の結果を示す応答メッセージとして監視又は制御に関わる内容を含んだウェブページ）を選んでＬＡＮインタフェース部３１より宅内ネットワークを通じて表示装置に提供（配信）するウェブサーバ手段３０ａを備えている。
【００４３】
電流計測装置Ｄは、図７に示すように、例えばマイコンを主構成要素とするマイコンブロック４０と、住宅盤に収納されている主幹ブレーカ（図示せず）の電源側に設けられて電源線ＰＬより主幹ブレーカに流れ込む電流を検出する電流センサ（カレントトランス）ＣＴと、電流センサＣＴで検出する電流から住宅における使用電流量を計測する電流計測部４１と、設備機器コントローラＣ１の設備機器コントローラ制御部３０との間でデータ通信を行うためのローカルインタフェース部４２と、日本電機工業会の統一規格に適合した設備機器Ｘ３，Ｘ４（エアコンや給湯器など）とマイコンブロック４０のインタフェースを行うＨＡインタフェース部４３と、前記ＪＥＭＡ規格に適合したＨＡ端子（図示せず）を有するＨＡ端子部４４とを備えている。
【００４４】
マイコンブロック４０は、電流計測部４１で計測する使用電流の計測値が予め決められている上限値を超えた場合、電流計測装置Ｄと設備機器コントローラＣ１それぞれのローカルインタフェース部４２，３７を通じて設備機器コントローラＣ１の設備機器コントローラ制御部３０に機器停止（電源オフ）指令を送信するか、或いはＨＡインタフェース部４３を制御してＨＡ端子部４４に接続されている設備機器Ｘ３又はＸ４の電源をオフさせて電力の使い過ぎを防止する機能（デマンド制御機能）と、ローカルインタフェース部４２を介して設備機器コントローラ制御部３０から与えられる指令に応じて設備機器Ｘ３，Ｘ４の動作制御や状態監視を行う機能とを有している。
【００４５】
ここで、マイコンブロック４０にはサブシステムＳＳ１に含まれる設備機器Ｘ１〜Ｘ４のデマンド制御における優先順位が登録されており、使用電流の計測値が上限値を超えた場合、前記優先順位の高い設備機器Ｘ１，…から順番に電源がオフされる。但し、必ずしも電流計測装置Ｄに設備機器Ｘ３，Ｘ４の制御及び監視機能を持たせる必要はなく、設備機器コントローラＣ１の設備機器コントローラ制御部３０が上記デマンド制御機能を搭載してもよい。また、電流計測装置Ｄは必須の構成要件ではなく、電流計測装置Ｄを含まないサブシステムＳＳ１であっても構わない。
【００４６】
また、サブシステムＳＳ２は、図３に示すように、住宅設備（設備機器）として住宅内における異常発生を検知する１乃至複数種類のセキュリティ機器Ｙ１，Ｙ２と各セキュリティ機器Ｙ１，Ｙ２の検知情報を収集するセキュリティ受信器ＳＲとを備えるとともに、これら住宅設備の監視並びに制御を行う住宅設備（宅内機器）としてセキュリティ受信器ＳＲが収集した検知情報を受け取るとともに受け取った当該検知情報を応答メッセージにより宅内ネットワークを通じて伝送するコントローラ（以下、セキュリティコントローラと呼ぶ。）Ｃ２を備えて構成されるセキュリティシステムである。
【００４７】
セキュリティ機器Ｙ１は、例えば、人体から放射される熱線を検出することによる監視領域内への人の侵入検知や、窓に設置されているクレセント錠の施解錠検知、窓の開閉検知等を行う防犯用のセンサを具備し、センサで異常（人の侵入やクレセント錠の解錠等）を検知したときに当該検知情報を無線信号（若しくは有線信号）でセキュリティ受信器ＳＲに送信する機能を有している。また、セキュリティ機器Ｙ２は、煙や熱を検出することによる火災検知や都市ガスあるいはＬＰガスを検出することによるガス漏れ検知等を行う防災用のセンサを具備し、センサで異常（火災発生やガス漏れ等）を検知したときに当該検知情報を無線信号（若しくは有線信号）でセキュリティ受信器ＳＲに送信する機能を有している。但し、上述のような機能を有するセキュリティ機器Ｙ１，Ｙ２については従来周知であるから、詳細な構成についての図示並びに説明は省略する。
【００４８】
セキュリティ受信器ＳＲは、セキュリティ機器Ｙ１，Ｙ２から送信された無線信号（若しくは有線信号）を受信することで検知情報を収集し、さらに当該検知情報に対応した処理、例えば、火災やガス漏れあるいは不審者の侵入等の異常発生を家人に知らせるために警報音を鳴動する処理を行うとともに検知された異常の種類や場所等の検知情報を無線信号（若しくは有線信号）でセキュリティコントローラＣ２に送信する処理を行う。ここで、セキュリティ機器Ｙ１，Ｙ２には固有の識別符号（ＩＤ）が割り当てられており、セキュリティ受信器ＳＲでは当該識別符号によって個々のセキュリティ機器Ｙ１，Ｙ２の検知情報を識別可能となっている。また、セキュリティ受信器ＳＲは、上述のようにセキュリティ機器Ｙ１，Ｙ２から検知情報を収集する警戒状態と検知情報を収集しない非警戒状態の２つの動作状態があり、例えば、ワイヤレス送信機（図示せず）から送信されるワイヤレス信号によって警戒状態と非警戒状態の２つの動作状態が択一的に切り換えられる。但し、ワイヤレス送信機にも固有の識別符号が割り当てられており、予め登録されている識別符号以外の識別符号が割り当てられたワイヤレス送信機では動作状態の切換が行えないようになっている。なお、上述のような機能を有するセキュリティ受信器ＳＲについては従来周知であるから、詳細な構成についての図示並びに説明は省略する。
【００４９】
セキュリティコントローラＣ２は、図８（ａ）に示すように、例えばマイコンを主構成要素とするセキュリティコントローラ制御部５０と、宅内ネットワークのＬＡＮケーブルが接続されセキュリティコントローラ制御部５０と宅内ネットワークのインタフェースを行うＬＡＮインタフェース部５１と、セキュリティ受信器ＳＲとの間で無線（若しくは有線）によるデータ通信を行う通信部５２と、ＬＥＤ等の発光素子で電源のオン／オフ状態や通信状態等を表示する表示部５３と、押釦スイッチ等を有する操作部５４と、マイコンで実行するプログラムやセキュリティ機器Ｙ１，Ｙ２から収集した検知情報を記憶するメモリ部５５とを備えている。また、図８（ａ）では図示を省略しているが、セキュリティコントローラＣ２は、商用電源から所望の直流電源を作成してセキュリティコントローラ制御部５０やその他の各部に動作電源を供給するための電源回路（図示せず）とを備えている。
【００５０】
セキュリティコントローラ制御部５０は、セキュリティ受信器ＳＲから通信部５２を介して受け取った検知情報を応答メッセージとして宅内ネットワーク（あるいは宅内ネットワークと外部ネットワーク）を通じて表示装置に送信する機能（警報機能）や、表示装置から制御要求のメッセージを受け取ったときに通信部を介してセキュリティ受信器ＳＲにコマンド（切換指令）を送信してセキュリティ受信器ＳＲの動作状態（警戒状態又は非警戒状態）を切り換えたり、あるいはセキュリティ受信器ＳＲによる警報音の鳴動を停止させたり、表示装置から監視要求のメッセージを受け取ったときに通信部５２を介してセキュリティ受信器ＳＲにコマンドを送信してセキュリティ受信器ＳＲの動作状態（警戒状態又は非警戒状態）を通知させるとともに、制御要求や監視要求に対する応答（セキュリティ受信器ＳＲの動作状態や警報音の鳴動状況等）のメッセージをＬＡＮインタフェース部より要求メッセージの送信元である表示装置に向けて送信させる機能（制御監視機能）を有する。また、セキュリティコントローラ制御部５０は、自己の配下にあるセキュリティ受信器ＳＲの動作状態等を文字や記号で表示するための多数のウェブページ（ウェブページ群）を保持しており、表示装置からの要求メッセージに応じて当該ウェブページ群の中から適切なウェブページ（例えば、表示装置から宅内ネットワークを通じて伝送される要求メッセージに基づいて行ったセキュリティ機器Ｙ１，Ｙ２の監視又は制御の結果を示す応答メッセージとして監視又は制御に関わる内容を含んだウェブページ）を選んでＬＡＮインタフェース部５１より宅内ネットワークを通じて表示装置に提供（配信）するウェブサーバ手段５０ａを有している。
【００５１】
サブシステムＳＳ３は、住宅設備（設備機器）として、例えば住戸外に設置されるカメラ付きドアホン子器（以下、ドアホン子器と略す。）ＤＳと人体から放射される熱線を検出することで監視領域内への人の侵入を検知するとともに当該侵入検知時に監視領域を撮像するセンサカメラＳＣと、住戸内に設置されてドアホン子器ＤＳとの間で通話する通話機能並びにドアホン子器ＤＳ並びにセンサカメラＳＣで撮像された画像を表示する機能を有するインターホン親機ＩＭとを備えるとともに、これら住宅設備の監視並びに制御を行う住宅設備（宅内機器）として、インターホン親機ＩＭよりドアホン子器ＤＳやセンサカメラＳＣで撮像された画像を受け取るとともに受け取った当該画像を宅外ネットワーク（外部ネットワーク）を通じてセンタ装置ＳＶに伝送するコントローラ（以下、画像転送コントローラと呼ぶ。）Ｃ３を備えて構成されるインターホンシステムである。
【００５２】
ドアホン子器ＤＳは、通話用のマイクロホン並びにスピーカや来訪者を撮像するためのカメラを具備し、マイクロホンで集音した通話音声を通話線を介してインターホン親機ＩＭに伝送し且つインターホン親機ＩＭから通話線を介して伝送される通話音声をスピーカから鳴動させる通話機能と、呼出釦が押操作されたときに通話線を介してインターホン親機ＩＭに呼出信号を送信する呼出機能と、カメラ（例えば、動画像を出力するＣＣＤカメラ）で撮像された画像を周波数変調して通話音声に多重化することで通話線を介してインターホン親機ＩＭに伝送する画像伝送機能とを有している。また、センサカメラＳＣは、人体から放射される熱線を検出することで監視領域内への人の侵入を検知する熱線センサや動画像を出力するＣＣＤカメラ等を具備し、信号線を介して監視領域の画像をドアホン子器ＤＳに伝送する機能を有している。なお、ドアホン子器ＤＳに伝送された画像は通話線を介してインターホン親機ＩＭに転送される。
【００５３】
一方、インターホン親機ＩＭは、全体の制御を行うマイコンや音声処理用のＤＳＰ、通話用のマイクロホン並びにスピーカや画像表示用の液晶ディスプレイ、画像や通話音声を記録する不揮発性の半導体メモリ等を具備し、呼出信号を受信したときにスピーカから呼出音を鳴動する機能と、呼出音の鳴動中又は鳴動後の一定時間内に応答釦が押操作されたときにドアホン子器ＤＳとの間に通話線を介した通話路を形成して通話音声を授受する通話機能と、通話中にドアホン子器ＤＳで撮像され且つ伝送される画像（通話相手を撮像した画像）を周波数復調して液晶ディスプレイに表示する機能と、通話中以外でドアホン子器ＤＳ又はセンサカメラＳＣで撮像され且つドアホン子器ＤＳから伝送される画像を周波数復調して液晶ディスプレイに表示する機能（画像モニタ機能）と、留守録設定中に呼出信号を受信した場合に通話線を介してドアホン子器ＤＳから伝送される画像並びに通話音声を不揮発性の半導体メモリに記録する機能（留守録機能）と、センサカメラＳＣで撮像され且つドアホン子器ＤＳより通話線を介して伝送された画像を不揮発性の半導体メモリに記録する機能（センサカメラ録画機能）と、ドアホン子器ＤＳで特定の操作（例えば、呼出釦の長押し）が行われた場合に通常の呼出音と区別可能な通知音で家人の帰宅を通知する機能（帰宅通知機能）とを有している。
【００５４】
而して、来訪者がドアホン子器ＤＳの呼出釦を押操作すると、常時有効である呼出機能によってインターホン親機ＩＭに通話線を介して呼出信号が伝送され、インターホン親機ＩＭにおいてスピーカから呼出音が鳴動されるとともに、通話線を介してインターホン親機ＩＭから電源が供給されることでドアホン子器ＤＳの画像伝送機能が有効になり、ドアホン子器ＤＳのカメラで撮像された画像がインターホン親機ＩＭの液晶ディスプレイに表示される。そして、液晶ディスプレイに表示された画像で来訪者を確認した家人がインターホン親機ＩＭの応答釦を押操作すれば、通話機能によりドアホン子器ＤＳとの間に通話線を介した通話路が形成されてインターホン親機ＩＭとドアホン子器ＤＳとの間においてスピーカとマイクロホンを使った拡声通話（ハンズフリー通話）が可能になるとともに、通話中においてはインターホン親機ＩＭの液晶ディスプレイにドアホン子器ＤＳから伝送される画像を表示させることが可能になる。但し、インターホン親機ＩＭとドアホン子器ＤＳとの間の拡声通話並びに画像伝送は、応答釦が押操作されてから所定時間が経過するか若しくは再度応答釦が押操作されたときに終了する。また、監視領域における不審者の侵入を検知するとセンサカメラＳＣが撮像した監視領域の画像がドアホン子器ＤＳ経由でインターホン親機ＩＭに伝送されて液晶ディスプレイに表示される。但し、上述のような機能を有するインターホン親機ＩＭ、ドアホン子器ＤＳ、センサカメラＳＣについては、従来周知であるから詳細な構成についての図示並びに説明を省略する。
【００５５】
画像転送コントローラＣ３は、図８（ｂ）に示すように、例えばマイコンを主構成要素とする画像転送コントローラ制御部６０と、宅内ネットワークのＬＡＮケーブルが接続され画像転送コントローラ制御部６０と宅内ネットワークのインタフェースを行うＬＡＮインタフェース部６１と、インターホン親機ＩＭとの間で信号線を介したデータ通信を行う通信部６２と、ＬＥＤ等の発光素子で電源のオン／オフ状態や通信状態等を表示する表示部６３と、押釦スイッチ等を有する操作部６４と、マイコンで実行するプログラムやインターホン親機ＩＭから信号線を通じて伝送されるデータ（画像データ及び通話音声データ）を記憶するメモリ部６５とを備えている。また、図８（ｂ）では図示を省略しているが、画像転送コントローラＣ３は、商用電源から所望の直流電源を作成して画像転送コントローラ制御部６０やその他の各部に動作電源を供給するための電源回路も備えている。
【００５６】
画像転送コントローラ制御部６０は、ドアホン子器ＤＳ並びにセンサカメラＳＣからインターホン親機ＩＭに伝送された画像データ及び通話音声データを通信部６２を介してインターホン親機ＩＭから受け取るとともに受け取ったデータを所定の圧縮方式（例えば、動画像であればＭＰＥＧ４、静止画像であればＪＰＥＧ、音声であればＭＰ３など）で圧縮した後に応答メッセージとして宅内ネットワーク及び宅外ネットワークを通じてセンタ装置ＳＶに転送する機能（転送機能）と、インターホン親機ＩＭの留守録機能が有効であるときにインターホン親機ＩＭが画像及び通話音声を記録した旨を宅内ネットワーク並びに宅外ネットワークを通じてセンタ装置ＳＶに通知する機能（来客通知機能）と、帰宅通知機能によってインターホン親機ＩＭに家人の帰宅が通知されたときに宅内ネットワーク並びに宅外ネットワークを通じてセンタ装置ＳＶに帰宅通知の応答メッセージを転送する機能（帰宅通知転送機能）とを有する。また、画像転送コントローラ制御部６０は、メモリ部６５に記録している画像の一覧等を開示する多数のウェブページ（ウェブページ群）を保持しており、表示装置からの要求メッセージに応じて適切なウェブページを選んでＬＡＮインタフェース部６１より宅内ネットワークを通じて表示装置に提供（配信）するウェブサーバ手段６０ａを有している。
【００５７】
次に、表示装置として用いられている表示制御装置ＣＶについて説明する。表示制御装置ＣＶは住宅内の壁面に埋込配設されるものであって、図１に示すようにマイコンを主構成要件とする制御部１０と、宅内ネットワークのＬＡＮケーブルが接続され制御部１０と宅内ネットワークのインタフェースを行うＬＡＮインタフェース部１１と、液晶ディスプレイ１２ａ（図２参照）並びにＬＥＤ（図示せず）とそれらのドライバ回路を有し液晶ディスプレイ１２ａにウェブページを表示する表示手段となる表示部１２と、押釦スイッチ１３ａ〜１３ｄや液晶ディスプレイ１２ａの画面上に配設されるタッチパネル（図示せず）を有して操作入力を受け付ける操作部１３と、制御部１０で実行するプログラムや種々のデータを記憶する記憶手段となる記憶部１４と、スピーカ（図示せず）とスピーカの駆動回路（図示せず）を有する音発生手段であるスピーカ部１５とを備えている。また、図示は省略しているが、商用電源から所望の直流電源を作成して制御部１０やその他の各部に動作電源を供給するための電源回路も備えている。
【００５８】
制御部１０は、ＬＡＮインタフェース部１１を介して接続された宅内ネットワークを通じてデータ通信を行う通信手段１０ａと、通信部１０ａを介して受け取ったウェブページを表示部１２の液晶ディスプレイ１２ａに表示させるウェブブラウザ手段１０ｂと、記憶部１４に記憶しているウェブページ（以下、内蔵ウェブページと呼ぶ。）の中からウェブブラウザ手段１０ｂからの要求に応じて適切な内蔵ウェブページを選んで提供（配信）するウェブサーバ手段１０ｃとを有している。
【００５９】
ウェブブラウザ手段１０ｂは、ウェブサーバ等と所定の通信プロトコルに基づいて通信して、指定されたＵＲＬに対応する情報を取り寄せるウェブクライアント機能と、取り寄せた情報をその種類（ＨＴＭＬ、ＸＨＴＭＬ、ＸＭＬ、画像、テキスト等）に応じて解析するパーサ機能と、パーサ機能による解析結果を元に文字や画像を適切に配置したり文字のサイズを調整したり色を付けたりして最終的に人間のための表示を行うレンダラ機能とを有するものであって、各コントローラＣ１，Ｃ２，Ｃ３のウェブサーバ手段３０ａ，５０ａ，６０ａ等から提供されるウェブページ並びに予めウェブサーバ手段１０ｃより提供される内蔵ウェブページをウェブブラウザで再生して表示部１２の液晶ディスプレイ１２ａに表示するとともに、操作部１３のタッチパネルが操作された位置と液晶ディスプレイ１２ａに表示されているアイコン等との位置関係に応じた操作入力を受け付けるように構成されている。
【００６０】
ところで、ウェブブラウザ手段１０ｃによるウェブページの表示は、当該ウェブページのソースファイルに基づいて行われる。ソースファイルは、例えばＨＴＭＬ等で記述された言語を使用して記載したファイルであり、ＨＴＭＬでソースファイルを作成するにあたっては、ルール（記述方法）としてタグが用いられる。例えばＨＴＭＬで使用されるタグとしては、文字のフォントやサイズ等を設定するためのタグ（例えば＜Ｆｏｎｔ＞等）や、レイアウトを設定するためのタグ（例えば改行を行わせる＜Ｂｒ＞タグや、文書を分割して個別のセクションに分けてセクションをひとまとまりとして表示せるための＜ｄｉｖ＞タグ等）、画像を表示させるためのタグ（例えば＜Ｉｍｇ  Ｓｒｃ＝”ファイル名”＞等）等、様々なタグがある。このようなタグは全てのウェブブラウザで使用できるようになっているわけではなく、一部のブラウザでのみ使用可能なタグも存在する。この種のタグとしては＜ＢＧＳＯＵＮＤ＞タグがあり、＜ＢＧＳＯＵＮＤ＞タグは、このタグがソースファイルに記述されたウェブページの表示が行われた際に、スピーカ等を鳴動させるために使用される鳴動用タグである。
【００６１】
そこで、本実施形態におけるウェブブラウザ手段１０ｂは、表示部１２の液晶ディスプレイ１２ａに表示させるウェブページのソースファイルに＜ＢＧＳＯＵＮＤ＞タグのようなスピーカ部１５を鳴動させる（スピーカ部１５のスピーカを鳴動させる）鳴動用タグが含まれていた際に、当該鳴動用タグに基づいてスピーカ部１５のスピーカを鳴動させるように構成されている。
【００６２】
また、ウェブページのソースファイルに含まれている鳴動用タグが、スピーカ部１５の鳴動方法に関する情報を有している場合には、ウェブブラウザ手段１０ｂは、鳴動用タグが有する鳴動方法に則してスピーカ部１５を鳴動させるように構成されている。一方、ウェブブラウザ手段１０ｂは、表示部１２の液晶ディスプレイ１２ａに表示させるウェブページのソースに鳴動用タグが含まれていない場合には、スピーカ部１５の動作を停止させるように構成されている。
【００６３】
以下、本実施形態におけるウェブブラウザ手段１０ｂで採用する鳴動用タグについて説明する。鳴動用タグは、スピーカ部１５のスピーカを鳴動させるための音データ（スピーカ部１５に出力する音データ）を指定する音データ指定情報と、スピーカ部１５の鳴動方法に関する情報とを持たせることができるようになっている。このような鳴動用タグとしては、ＨＴＭＬ形式のウェブページであれば、上述した＜ＢＧＳＯＵＮＤ＞タグや、＜ＥＭＢＥＤ＞タグ、＜ＯＢＪＥＣＴ＞タグ等を使用することができる。尚、鳴動用タグとしては＜ＢＧＳＯＵＮＤ＞タグ等のように、一部のウェブブラウザではサポートされていないタグを用いるようにしてもよく、また、本実施形態におけるウェブブラウザ手段１０ｂでのみ有効な（つまり、ウェブブラウザ手段１０ｂのために新たに定義した）鳴動用タグを用いるようにしてもよい。
【００６４】
音データ指定情報により指定される音データは、例えば表１に示すような音や、「火災が発生しました。すぐに避難してください」、「不審者が侵入しました」等の音声メッセージのデータ（例えばＷＡＶＥデータ）であって、記憶部１４に予め記憶されている。尚、音データは圧縮した状態で記憶部１４に記憶させてもよく、この場合、記憶部１４から読み出した音データを伸長してからスピーカ部１５に出力すればよい。
【００６５】
ここで、鳴動用タグに音データ指定情報が存在しない、又は音データ指定情報により指定された音データが記憶部１４に存在しない場合には、ウェブブラウザ手段１０ｂは、鳴動用タグにエラーがあるとして鳴動用タグがなかったものとみなすように構成されている。尚、鳴動用タグに音データ指定情報が存在しない場合は、デフォルトで設定されている音をスピーカ部１５から発するようにしてもよい。
【００６６】
【表１】
2008104123.tif 000003
【００６７】
前記鳴動方法は、例えば、鳴動回数、鳴動間隔、音量等であって、本実施形態では、鳴動用タグとして、鳴動させる音データと、鳴動回数と、鳴動間隔とを指定することが可能な鳴動用タグを用いている。この場合、鳴動用タグで使用されるフォーマットは、「＜データ名（音データのファイル名）＞＿＜鳴動回数＞＿＜鳴動間隔＞」で構成される（ここでアンダーバー”＿”は区切り記号として用いられている）。
【００６８】
例えば、ウェブブラウザ手段で表示するウェブページのソースに、「ｋｅｉｈｏｕ＿０＿０」を有する鳴動用タグがあれば、「ピーポー」という音がスピーカ部１５から出力され続ける。また、ウェブページのソースに「ｈｏｕｃｈｉ＿４＿０」を有する鳴動用タグがあれば、「ポロロン」という音が４回連続してスピーカ部１５から出力される。また、「ｏｓｈｉｒａｓｅ＿１＿０」を有する鳴動用タグがあれば、「ポン」という音がスピーカ部１５から一回だけ出力され、「ｏｓｈｉｒａｓｅ＿３＿５」を有する鳴動用タグがあれば、「ポン」という音がスピーカ部１５から５秒間隔で３回出力され、「ｏｓｉｒａｓｅ＿６＿１０」を有する鳴動用タグがあれば、「ポン」という音がスピーカ部１５から１０秒間隔で６回出力される。一方、スピーカ部１５の鳴動を停止したい際には、鳴動用タグをソースに有していないウェブページをウェブブラウザ手段１０ｂにより表示部１２の液晶ディスプレイ１２ａに表示させるようにすればよい。
【００６９】
このような鳴動用タグは、ウェブページのソースファイルに予め記述されるものであるから、各コントローラＣ１〜Ｃ３が製品として販売された後には、ユーザーが鳴動用タグの内容を変更することはできないようになっている。そのため、子供のいたずら等によって音データの種類が変更されて、イベントの種類と音データの種類とが一致せずに誤解を与えたりしてしまうことがない。しかしながら、鳴動回数や、鳴動間隔等の鳴動方法については音データ程の影響はないため、ユーザーが購入後でも鳴動方穂を変更できるように各コントローラＣ１〜Ｃ３を構成してもよい。
【００７０】
以下に、ウェブブラウザ手段１０ｂの動作について図４を参照して説明する。ステップＳ１において、ウェブブラウザ手段１０ｂは、ＬＡＮインタフェース部１１を介して宅内ネットワークからウェブページのデータ（ファイル）を取得し、次のステップＳ２において、ウェブページのソースに鳴動用タグが存在するかどうかを判定する。
【００７１】
ステップＳ２において鳴動用タグが存在すると判定した際には、ステップＳ３に進み、鳴動用タグの音データ指定情報で指定された音データが記憶部１４に記憶されているかどうかを判定する。ステップＳ３において音データ指定情報で指定された音データが記憶部１４に記憶されていると判定した際にはステップＳ４へ進み、音データが記憶部１４に記憶されていないと判定した際にはステップＳ６に進む。
【００７２】
ステップＳ４では、鳴動用タグの音データ指定情報、及び鳴動方法に関する情報に基づいてスピーカ部１５の鳴動処理を行う。一方、ステップＳ６では、スピーカ部１５の停止処理（スピーカ部１５が鳴動していればスピーカ部１５の鳴動を停止させ、スピーカ部１５が鳴動していなければその状態を維持する）を行う。
【００７３】
また、ステップＳ４又はステップＳ６が実行される際には、並行してステップＳ５が実行される。ステップＳ５では、ステップＳ１で取得したウェブページを表示部１２の液晶ディスプレイ１２ａに表示させる処理が行われる。
【００７４】
ところで、表示制御装置ＣＶは、図２に示すように矩形箱形の合成樹脂成形品からなるハウジング１６の内部に上述した各部１０〜１５が収納されて構成されており、表示部１２が有する液晶ディスプレイ１２ａの画面がハウジング１６前面の左寄りに配置されている。なお、液晶ディスプレイ１２ａの画面には操作部１３が有するタッチパネル（透明であるから番号は付さない）が一体に設けられている。ハウジング１６前面の右寄り上部には、スピーカ部１５から鳴動する音をハウジング１６の外に放射するための多数の孔１６ａがマトリクス状に並べて貫設されている。また、ハウジング１６前面の右寄り下部には、操作部１３が具備する複数の押釦スイッチ（図示せず）を押操作するための操作釦１３ａ，１３ｂ，１３ｃ，１３ｄが縦横２列に並べて配設されている。さらに、ハウジング１６前面の右寄り中央部には、蓋体１６ｂによって開閉自在に閉塞される凹所（図示せず）が設けられており、凹所の底面に電源入／切や制御部１０をリセットするための押釦スイッチ（図示せず）、表示部１２のＬＥＤなどが配設されている。なお、図示は省略するが、ハウジング１６の背面にはＬＡＮインタフェース部１１が有するモジュラジャックの差込口と、商用電源からの電源線が接続される端子部の電線挿入孔とが露出している。
【００７５】
また本実施形態においては、自ら撮像した画像を宅内ネットワーク経由で配信する機能（ウェブサーバ機能）を有した、いわゆるウェブカメラＷＣがＬＡＮケーブルを介して統合管理装置ＴＭのコントローラ用通信ポートに接続されている（図３参照）。かかるウェブカメラＷＣは従来周知であって、撮像した画像を所定の圧縮方式（例えば、動画像であればＭＰＥＧ４、静止画像であればＪＰＥＧなど）で圧縮してネットワークを通じて配信したり、ネットワークを通じてパンやチルトの遠隔制御をしたりすることが可能である。
【００７６】
ところで本実施形態においては、統合管理装置ＴＭの制御部２３にもウェブサーバ機能が搭載されており、各コントローラＣｎがウェブサーバ手段３０ａ，５０ａ，６０ａによって提供するウェブページ（各サブシステムＳＳｎのホームページ）への入り口となるウェブページ（いわゆるポータルサイト）を作成し、宅内ネットワークを通じて住宅内の表示装置（パソコンＰＣや表示制御装置ＣＶ）に提供（配信）している。例えば、表示制御装置ＣＶの液晶ディスプレイ１２ａには、通常、統合管理装置ＴＭで作成された前記ポータルサイトが表示されている。このポータルサイトでは、各コントローラＣｎで提供されるウェブコンテンツ（各サブシステムＳＳｎのホームページ）へのリンクがアイコンで表示されており、何れかのアイコン上でタッチパネルが操作されれば、当該アイコンで表示されたリンク先のＵＲＬ（各コントローラＣｎが保有するウェブページ群のＩＰアドレス）に対して表示制御装置ＣＶからウェブコンテンツの送信要求メッセージが送信される。そして、送信要求メッセージを受信したコントローラＣｎが自己の保有するウェブページ群の中から指定されたウェブページを表示制御装置ＣＶに対して送信すれば、前記ポータルサイトに代わって当該コントローラＣｎのウェブページ（例えば、各サブシステムＳＳｎのホームページ）が液晶ディスプレイ１２ａに表示される。
【００７７】
次に、表示制御装置ＣＶを使って設備機器Ｘｍの制御並びに監視を行う場合の動作について説明する。
【００７８】
まず、操作部１３の操作釦１３ａが押操作されると制御部１０がＬＡＮインタフェース部１１より統合管理装置ＴＭに対してポータルサイトの送信要求メッセージを送信する。統合管理装置ＴＭの制御部２３は、記憶部２４のリストに登録されているサブシステムＳＳ１〜ＳＳ３のホームページへのリンクを示すアイコンや個々のサブシステムＳＳ１〜ＳＳ３の名称を示す文字等を表示するポータルサイトを予め作成して記憶部２４に記憶しており、表示制御装置ＣＶから前記送信要求メッセージを受け取ったときに記憶部２４からポータルサイトのデータを読み出して送信要求元の表示制御装置ＣＶへ送信する。
【００７９】
表示制御装置ＣＶでは、統合管理装置ＴＭから受け取ったウェブページのデータ（ファイル）をウェブブラウザ手段１０ｂで開くことにより、液晶ディスプレイ１２ａにポータルサイトが表示される。このとき、ウェブブラウザ手段１０ｂは図４に示すフローチャートに従って動作する。
【００８０】
そして、サブシステムＳＳ１のアイコン上でタッチパネルが操作されれば、当該アイコンで表示されたリンク先のＵＲＬ（設備機器コントローラＣ１が保有するウェブページ群のＩＰアドレス）に対して、前記ウェブブラウザによってウェブページの送信要求メッセージが送信される。この後に、送信要求メッセージを受信した設備機器コントローラＣ１の設備機器コントローラ制御部が自己の保有するウェブページのデータを表示制御装置ＣＶに送信すれば、ウェブブラウザ手段１０ｂでウェブページのデータ（ファイル）を開くことによりサブシステムＳＳ１のウェブページ（例えば、ホームページ）が表示部１２の液晶ディスプレイ１２ａに表示される。
【００８１】
このホームページでは、サブシステムＳＳ１に含まれる設備機器Ｘ１〜Ｘ４の名称と設置場所（例えば、「リビングのエアコン」，「リビングの照明」など）を示した文字、各設備機器Ｘ１〜Ｘ４の動作状態を示す文字、各設備機器Ｘ１〜Ｘ４の動作状態を反転させる操作に対応したボタン等が表示され、これらのボタンに各々他のウェブページがリンクしている。従って、ホームページに表示される情報から各設備機器Ｘ１〜Ｘ４の動作状態を監視（確認）することができる。
【００８２】
ここで、何れかの設備機器Ｘｍの動作状態を反転させる制御、例えば、現在点灯している照明器具（設備機器Ｘ２）を消灯させる制御を行う場合、ホームページにおいて設備機器Ｘ４の動作状態を反転させる操作に対応したボタン上でタッチパネルを操作する。すると、ウェブブラウザ手段１０ｂによって当該ボタンが操作されたことを示すメッセージ、つまり、照明器具（設備機器Ｘ２）の消灯制御を要求するメッセージ（要求メッセージ）が宅内ネットワークを通じて設備機器コントローラＣ１のネットワークアドレス宛に送信される。そして、この要求メッセージを受け取った設備機器コントローラＣ１の設備機器コントローラ制御部３０では、照明器具インタフェース部３４を介してリレー端子部３５のリレーをオフすることで照明器具（設備機器Ｘ２）を消灯する。
【００８３】
その後、設備機器コントローラ制御部は照明器具（設備機器Ｘ２）の消灯に対応したウェブページのデータを表示制御装置ＣＶに送信し、表示制御装置ＣＶのウェブブラウザ手段１０ｂでウェブページのデータ（ファイル）を開くことによりサブシステムＳＳ１の他のウェブページが表示部１２の液晶ディスプレイ１２ａに表示される。
【００８４】
このウェブページでは、照明器具（設備機器Ｘ２）の動作状態が点灯から消灯に変更されている。ここで、ウェブページのソースに例えば「ｏｓｈｉｒａｓｅ＿１＿０」を有する鳴動用タグを持たせておけば、「ポン」という音をスピーカ部１５から一回だけ出力させることができ、これによりユーザーに操作が実行されたことを聴覚的に報知することができる。
【００８５】
また、何らかの原因で設備機器Ｘｍの制御に失敗した場合、設備機器コントローラ制御部３０が制御に失敗した旨の応答メッセージ（エラーメッセージ）を有するウェブページを作成してＬＡＮインタフェース部３１より表示制御装置ＣＶに送信し、表示制御装置ＣＶの表示部１２（液晶ディスプレイ１２ａ）にウェブページを表示するようになっており、このときウェブページのソースに、「ｋｅｉｈｏｕ＿１＿０」を有する鳴動用タグを持たせておけば、「ピーポー」という音をスピーカ部１５から一回だけ出力させることができ、これによりユーザーに操作が失敗したことを聴覚的に報知することができる。
【００８６】
次に、表示制御装置ＣＶを使ってセキュリティ受信器ＳＲの動作状態（警戒状態又は非警戒状態）の制御（切換）並びに監視を行う場合の動作について説明する。
【００８７】
まず、操作部１３の操作釦１３ａが押操作されると制御部１０がＬＡＮインタフェース部１１より統合管理装置ＴＭに対してポータルサイトの送信要求メッセージを送信する。当該送信要求メッセージを受け取った統合管理装置ＴＭの制御部２３は、記憶部２４から読み出したポータルサイトのデータを送信要求元の表示制御装置ＣＶへ送信する。
【００８８】
表示制御装置ＣＶでは、統合管理装置ＴＭから受け取ったポータルサイトのデータ（ファイル）をウェブブラウザ手段１０ｂで開くことにより、液晶ディスプレイ１２ａにポータルサイトを表示する。そして、サブシステム（セキュリティシステム）ＳＳ２のアイコン上でタッチパネルが操作されれば、当該アイコンで表示されたリンク先のＵＲＬ（セキュリティコントローラＣ２が保有するウェブページ群のＩＰアドレス）に対して、前記ウェブブラウザ手段１０ｂによってウェブページの送信要求メッセージが送信される。
【００８９】
そして、送信要求メッセージを受信したセキュリティコントローラＣ２のセキュリティコントローラ制御部が自己の保有するウェブページのデータを表示制御装置ＣＶに送信すれば、当該ウェブページのデータ（ファイル）をウェブブラウザ手段１０ｂで開くことによりセキュリティシステムＳＳ２のウェブページ（例えば、ホームページ）が表示部１２の液晶ディスプレイ１２ａに表示される。
【００９０】
このホームページでは、セキュリティシステムＳＳ２に含まれるセキュリティ受信器ＳＲ並びにセキュリティ機器Ｙ１，Ｙ２の名称と設置場所を示した文字、セキュリティ受信器ＳＲの動作状態やセキュリティ機器Ｙ１，Ｙ２の検知状況等を示す文字、セキュリティ受信器ＳＲの動作状態を反転させる操作に対応したボタン等が表示され、これらのボタンに各々他のウェブページがリンクしている。従って、ホームページに表示される情報からセキュリティ受信器ＳＲの動作状態や各セキュリティ機器Ｙ１，Ｙ２の検知状況等を監視（確認）することができる。
【００９１】
ここで、セキュリティ受信器ＳＲの動作状態を反転させる制御、例えば、非警戒状態から警戒状態に切り換える制御を行う場合、ホームページにおいてセキュリティ受信器ＳＲの動作状態を反転させる操作に対応したボタン上でタッチパネルを操作する。すると、前記ウェブブラウザによって当該ボタンが操作されたことを示すメッセージ、つまり、セキュリティ受信器ＳＲを警戒状態に切り換える切換制御を要求するメッセージ（要求メッセージ）が宅内ネットワークを通じてセキュリティコントローラＣ２のネットワークアドレス宛に送信される。
【００９２】
そして、この要求メッセージを受け取ったセキュリティコントローラＣ２のセキュリティコントローラ制御部５０では、通信部５２よりセキュリティ受信器ＳＲに対してコマンド（切換指令）を送信することでセキュリティ受信器ＳＲの動作状態が非警戒状態から警戒状態に切り換わる。その後、セキュリティコントローラ制御部はセキュリティ受信器ＳＲの動作状態（警戒状態）に対応したウェブページのデータを表示制御装置ＣＶに送信し、表示制御装置ＣＶのウェブブラウザ手段１０ｂで当該ウェブページのデータ（ファイル）を開くことによりサブシステムＳＳ２の他のウェブページが表示部１２の液晶ディスプレイ１２ａに表示される。当該ウェブページでは、セキュリティ受信器ＳＲの動作状態が非警戒状態から警戒状態に変更されている。ここで、ウェブページのソースに例えば「ｏｓｈｉｒａｓｅ＿１＿０」を有する鳴動用タグを持たせておけば、「ポン」という音をスピーカ部１５から一回だけ出力させることができ、これによりユーザーに操作が実行されたことを聴覚的に報知することができる。
【００９３】
次に、セキュリティシステムＳＳ２において、セキュリティコントローラＣ２がセキュリティ受信器ＳＲから異常発生（例えば、火災やガス漏れの発生あるいは不審者の侵入など）を示す検知情報を取得した場合の動作について説明する。
【００９４】
何れかのセキュリティ機器Ｙ１，Ｙ２で異常が検出され、セキュリティコントローラＣ２のセキュリティコントローラ制御部がセキュリティ受信器ＳＲから異常発生の検知情報を取得すると、セキュリティコントローラ制御部５０は当該検知情報を含む応答メッセージ（以下、連携メッセージと呼ぶ。）を作成して宅内ネットワーク内に一斉同報（ブロードキャスト）するとともに、センタ装置ＳＶにも異常発生通報のためのメッセージを送信する。
【００９５】
前記連携メッセージを受け取った表示制御装置ＣＶでは、制御部１０が受け取った連携メッセージに含まれる検知情報から発生した異常の内容（例えば、火災やガス漏れの発生あるいは不審者の侵入など）を判断し、その内容に応じた警報音（例えば、「火災が発生しました。すぐに避難してください。」あるいは「不審者が侵入しました。」などの音声メッセージ）をスピーカ部５５に鳴動させるとともに、異常の内容に応じた警報表示（例えば、「○○で火災が発生しました。」あるいは「××に不審者が侵入しました。」などのメッセージ）を表示部１２の液晶ディスプレイ１２ａに表示させる。
【００９６】
また、センタ装置ＳＶでは、セキュリティコントローラＣ２から受け取った異常発生の通報メッセージを、予め登録されている携帯電話機ＭＰのメールアドレスに送信することで異常の発生を外出中の家人に通知する。
【００９７】
一方、連携メッセージを受け取った他のコントローラ、すなわち、設備機器コントローラＣ１と画像転送コントローラＣ３においては、設備機器コントローラ制御部３０並びに画像転送コントローラ制御部６０が受け取った連携メッセージに含まれる検知情報から発生した異常の内容を判断し、予め決められているルールに則り、必要であれば異常の内容に応じた制御動作を実行する。例えば、火災が発生している場合に設備機器コントローラ制御部３０が照明器具を点灯することで避難し易くすることが可能である。但し、ガス漏れが発生している場合、設備機器Ｘｍの動作状態が切り換えられると電源のオン又はオフに伴って発生した火花が漏れたガスに引火する虞があるので、設備機器コントローラ制御部３０では、仮に制御要求メッセージを受け取っても全ての設備機器Ｘｍについての制御を無効とする。
【００９８】
次に、インターホンシステム（サブシステムＳＳ３）のドアホン子器ＤＳで撮像した画像をセンタ装置ＳＶに蓄積するとともに、蓄積された画像を表示装置（例えば、携帯電話機ＭＰ）で再生する場合の動作について説明する。但し、以下の説明では画像のみを蓄積する場合について説明するが、画像とともに通話音声もセンタ装置ＳＶに蓄積し且つ表示装置で再生することも可能である。
【００９９】
既に説明したように、来訪者が呼出釦を押操作すると、ドアホン子器ＤＳの画像伝送機能が有効になってドアホン子器ＤＳのカメラで撮像された画像（画像データ）がインターホン親機ＩＭに伝送される。インターホン親機ＩＭは、ドアホン子器ＤＳから受け取った画像データを画像転送コントローラＣ３に伝送する。画像転送コントローラＣ３においては、インターホン親機ＩＭから受け取った画像データを画像転送コントローラ制御部６０にて所定の圧縮方式（例えば、動画像であればＭＰＥＧ４、静止画像であればＪＰＥＧなど）で圧縮処理し、圧縮した画像データを応答メッセージとして宅内ネットワーク及び外部ネットワークを通じてセンタ装置ＳＶに転送する。センタ装置ＳＶでは、画像転送コントローラＣ３から受け取った画像データをハードディスク等の記録媒体に記録（蓄積）する。
【０１００】
また、表示制御装置ＣＶにより画像転送コントローラＣ３を介してインターホン親機ＩＭの留守録機能が有効に設定されると、表示制御装置ＣＶからセンタ装置ＳＶに対して留守録設定を通知するメッセージが送信される。そして、留守録機能が有効に設定されているときに来訪者が呼出釦を押操作すると、ドアホン子器ＤＳの画像伝送機能が有効になってドアホン子器ＤＳのカメラで撮像された画像（画像データ）がインターホン親機ＩＭに伝送され、インターホン親機ＩＭは、ドアホン子器ＤＳから受け取った画像データを画像転送コントローラＣ３に伝送するとともに、当該画像データをメモリ部に記憶（録画）する。また、インターホン親機ＩＭから受け取った画像データを画像転送コントローラ制御部６０にて圧縮処理し、圧縮した画像データを応答メッセージとして宅内ネットワーク及び外部ネットワークを通じてセンタ装置ＳＶに転送する。
【０１０１】
センタ装置ＳＶでは、画像転送コントローラＣ３から画像データが転送されると、予め登録されている携帯電話機ＭＰのメールアドレスにメッセージを送信して外出中の家人に来客を通知し、さらに、当該画像データを記録媒体に蓄積する。
【０１０２】
前記メッセージを受け取った家人が来訪者を確認したい場合、携帯電話機ＭＰよりセンタ装置ＳＶに対して画像再生の要求メッセージを送信すればよい。当該要求メッセージを受け取ったセンタ装置ＳＶは、記録媒体に蓄積した前記画像データを携帯電話機ＭＰで再生可能なファイル形式に加工（変換）し、加工後の画像データを携帯電話機ＭＰに送信する。その結果、外出中の家人は携帯電話機ＭＰで再生した画像を見て来訪者を確認することができる。
【０１０３】
次に、インターホン親機ＩＭの画像モニタ機能を利用し、ドアホン子器ＤＳで撮像した画像を表示装置（例えば、携帯電話機ＭＰや表示制御装置ＣＶ）で再生する場合の動作について説明する。
【０１０４】
携帯電話機ＭＰからセンタ装置ＳＶに対して画像モニタの要求メッセージが送信されると、センタ装置ＳＶは、インターホンシステムＳＳ３の画像転送コントローラＣ３からポーリングされたときに、当該要求メッセージを画像転送コントローラＣ３に送信する。この画像モニタ要求メッセージを受け取った画像転送コントローラＣ３では、画像転送コントローラ制御部６０がインターホン親機ＩＭの画像モニタ機能を有効に設定するための制御信号を通信部６２より送信し、この制御信号を受け取ることでインターホン親機ＩＭの画像モニタ機能が有効になる。すると、インターホン親機ＩＭは、通話線を介して電源を供給することでドアホン子器ＤＳの画像伝送機能を有効とし、ドアホン子器ＤＳのカメラで撮像された画像を受け取るとともに当該画像データを画像転送コントローラＣ３に伝送する。画像転送コントローラＣ３においては、インターホン親機ＩＭから受け取った画像データを画像転送コントローラ制御部６０にて圧縮処理し、圧縮した画像データを応答メッセージとして宅内ネットワーク及び外部ネットワークを通じてセンタ装置ＳＶに転送する。そして、センタ装置ＳＶが転送されてきた画像データを携帯電話機ＭＰに送信し、その結果、ドアホン子器ＤＳで撮像された画像を携帯電話機ＭＰで再生して確認することができる。
【０１０５】
また、インターホンシステムＳＳ３のホームページには、インターホン親機ＩＭの画像モニタ機能を有効に設定するためのアイコンが用意されており、表示制御装置ＣＶの操作部１３において当該アイコンの操作が受付されると、制御部１０がＬＡＮインタフェース部１１を通じて画像モニタ要求メッセージを画像転送コントローラＣ３に送信する。この画像モニタ要求メッセージを受け取った画像転送コントローラＣ３では、画像転送コントローラ制御部６０がインターホン親機ＩＭの画像モニタ機能を有効に設定するための制御信号を通信部６２より送信し、この制御信号を受け取ることでインターホン親機ＩＭの画像モニタ機能が有効になる。すると、インターホン親機ＩＭは、通話線を介して電源を供給することでドアホン子器ＤＳの画像伝送機能を有効とし、ドアホン子器ＤＳのカメラで撮像された画像を受け取るとともに当該画像データを画像転送コントローラＣ３に伝送する。画像転送コントローラＣ３においては、インターホン親機ＩＭから受け取った画像データを画像転送コントローラ制御部６０にて圧縮処理し、圧縮した画像データを応答メッセージとして表示制御装置ＣＶに転送する。そして、表示制御部ＣＶでは、受け取った画像データを制御部１０で伸長処理して表示部１２に出力し、これによりドアホン子器ＤＳで撮像された画像が表示部１２の液晶ディスプレイ１２ａに表示される。
【０１０６】
ところで、一般に外出する際はエアコンや照明器具の電源を切るとともにセキュリティ受信器ＳＲを警戒状態に切り換え、あるいは、就寝する際は照明器具の電源を切るとともにセキュリティ受信器ＳＲを警戒状態に切り換えるというように、特定の状況においては複数の決まった制御が同時に行われる場合が多いが、このような場合に表示制御装置ＣＶの操作部１３（タッチパネル）で一つ一つの制御に対する操作を入力するのは非常に煩わしい作業である。
【０１０７】
そこで本実施形態では、統合管理装置ＴＭが提供するポータルサイトの画面に外出、在宅、就寝という３種類の状況に対応したシンボル（例えば、「外出」，「在宅」，「就寝」と表示されたボタン）を表示させ、表示制御装置ＣＶの操作部１３において前記ボタン（以下、「一括ボタン」と呼ぶ。）の何れかの選択操作が受け付けられたときに、それぞれの状況に対して予め対応付けられている１乃至複数の制御要求メッセージ、例えば、「外出」の一括ボタンが操作された場合であれば、設備機器コントローラＣ１に対してエアコンと全ての照明器具をオフ（電源切並びに消灯）するように指示する制御要求メッセージと、セキュリティコントローラＣ２に対してセキュリティ受信器ＳＲを警戒状態に切り換えるように指示する制御要求メッセージとを表示制御装置ＣＶの制御部１０で作成し、作成した２種類の制御要求メッセージを設備機器コントローラＣ１とセキュリティコントローラＣ２に対してＬＡＮインタフェース部１１を介して各々送信する。なお、操作部１３で「外出」の一括ボタンの操作を受け付けると、制御部１０は「外出モードを受け付けました。」等の文字を表示部１２の液晶ディスプレイ１２ａに表示する。
【０１０８】
一方、設備機器コントローラＣ１では、表示制御装置ＣＶから受け取った制御要求メッセージに応じてエアコンと全ての照明器具をオフする制御を行い、また、セキュリティコントローラＣ２では、表示制御装置ＣＶから受け取った制御要求メッセージに応じてセキュリティ受信器ＳＲの動作状態を警戒状態に切り換える制御を行う。つまり、外出する際に表示制御装置ＣＶの操作部１３において「外出」の一括ボタンのみを操作するだけで、エアコンと全ての照明器具をオフするとともにセキュリティ受信器ＳＲを警戒状態に切り換えることができるから、表示制御装置ＣＶの操作部１３で一つ一つの制御に対する操作を入力する場合に比較して作業効率が高く且つ操作性も向上するという利点がある。
【０１０９】
以上述べた本実施形態の住宅設備監視システムによれば、ウェブページのソースファイルに音鳴動用タグが含まれている場合に、音鳴動用タグに基づいてスピーカ部１４を鳴動させるウェブブラウザ手段１０ｂを表示制御装置ＣＶに設けているから、表示制御装置ＣＶで画像を表示させる際に所望の音を鳴らすことができるという効果を奏する。また、表示制御装置ＣＶは、ウェブページを受け取った際に、そのウェブページを表示部１２の液晶ディスプレイ１２ａに表示させるとともに、ウェブページのソースァイルに含まれる鳴動用タグに基づいてスピーカ部１５を鳴動させるから、どの画像を表示部１２の液晶ディスプレイ１２ａに表示させるか或いはどの音をスピーカ部１５から出力させるかといった判断を表示制御装置に行わせる必要がなくなり、従来のように表示装置が受け取ったデータに基づいて表示する画面と出力する音との両方を判断するような場合に比べて、表示装置にかかる負荷を軽減できるという効果を奏する。このように本実施形態の住宅設備監視システムでは、従来の表示装置で行っていた処理を、表示装置と、住宅設備（コントローラＣ１〜Ｃ３）に分散しているから、自立分散型の住宅設備監視システムを実現できるという効果を奏する。
【０１１０】
また、表示制御装置ＣＶのスピーカ部１５の鳴動方法を鳴動用タグによって指定することができるから、例えばサブシステムＳＳ１，ＳＳ２，ＳＳ３の状況等に応じて効果的な音をスピーカ部１５から出力させることが可能になるという効果を奏する。
【０１１１】
さらに、鳴動用タグをソースに含んでいないウェブページをウェブブラウザ手段１０ｂによって表示部１２の液晶ディスプレイ１２ａに表示させることによって、スピーカ部１５を停止させることが可能となるから、表示制御装置ＣＶを直接操作しなくても、表示制御装置ＣＶから離れた場所にあるコントローラＣ１，Ｃ２，Ｃ３等を用いて表示制御装置ＣＶのスピーカ部１５を停止させることができるという効果を奏する。
【０１１２】
ところで、本実施形態の住宅設備監視システムでは、複数の住宅設備とこれら複数の住宅設備の監視、又は制御を行うコントローラＣ１〜Ｃ３とでサブシステムＳＳ１〜ＳＳ３を構成し、コントローラＣ１〜Ｃ３それぞれにウェブサーバ手段３０ａ，５０ａ，６０ａを設けているから、サブシステムＳＳ１〜ＳＳ３を構成する全ての住宅設備それぞれにウェブサーバ手段を設けなくて済むようになって、ウェブサーバ手段用のリソースを削減でき、製造コストを低減できるという効果を奏する。特に、照明機器や空調機器等の一般的な住宅設備のように、ウェブサーバ手段を設けることができるようなハードウェア構成を有しておらず（ウェブサーバ手段を設けることができるような能力に設定されておらず）、ウェブサーバ手段用のリソースを新たに設ける必要がある住宅設備を複数採用する際に有効である。
【０１１３】
また、コントローラＣ１〜Ｃ３によって複数の住宅設備の監視結果又は制御結果をまとめたウェブページを表示装置にて表示することができるから、複数の住宅設備それぞれの監視結果又は制御結果をウェブページで個別に表示する場合とは異なり、複数の住宅設備の監視結果又は制御結果を一括して表示でき、使い易さを向上できるという効果を奏する。さらに、住宅設備監視システムに新たな監視又は制御の対象となる住宅設備が追加され、新しいウェブページの追加が必要になった場合でも、追加された住宅設備を監視又は制御の対象とするコントローラを新規なものに換える（交換する）だけでよく、住宅設備監視システムの拡張が容易になるという効果を奏する。
【０１１４】
尚、本実施形態では、主にコントローラＣ１，Ｃ２，Ｃ３から表示制御装置ＣＶに送られるウェブページのソースに鳴動用タグを持たせる例について説明したが、例えば統合管理装置ＴＭから表示制御装置ＣＶに送られるウェブページのソースに鳴動用タグを持たせるようにしてもよく、またコントローラＣ１，Ｃ２，Ｃ３や統合管理装置ＴＭに限らず、ウェブページを表示制御装置ＣＶに送るウェブサーバとしての機能を有する装置から送られるウェブページのソースに鳴動用タグを持たせてもよい。この点は後述する実施形態２，３においても同様である。
【０１１５】
尚、本実施形態のコントローラＣ１，Ｃ２，Ｃ３は、住宅設備の監視並びに制御を行うように構成されているが、必ずしも監視と制御の両方を行う必要はなく、いずれか一方のみを行うように構成されていてもよい。
【０１１６】
（実施形態２）
ところで実施形態１の住宅設備監視システムでは、表示制御装置ＣＶのスピーカ部１５から音を出力する際には、表示制御装置ＣＶの記憶部１４に記憶されている音データからスピーカ部１５で出力する音を選択する必要があるが、例えば住宅設備監視システムに新たなサブシステムを増設した際には、増設したサブシステムのコントローラで使用する音データが表示制御装置ＣＶの記憶部１４に記憶されていない場合がある。
【０１１７】
このような場合、増設されたサブシステムのコントローラから表示制御装置ＣＶに鳴動用タグをソースに有するウェブページが送信されたとしても、鳴動用タグの音データ指定情報で指定された音データが記憶部１４に存在しないために、表示制御装置ＣＶではスピーカ部１５が停止されることになり、スピーカ部１５からは音が出力されない。
【０１１８】
そのため、増設された（又は増設予定の）サブシステムで使用する音データが表示制御装置ＣＶの記憶部１４に記憶されていない場合には、表示制御装置ＣＶを増設された（又は増設予定の）サブシステムに対応するものに取り替える作業や、表示制御装置ＣＶのバージョンアップ作業を、サブシステムの増設と合わせて行う必要があった。
【０１１９】
そこで、本実施形態の住宅設備監視システムでは、送信されたウェブページのソースに含まれる鳴動用タグの音データ指定情報で指定された音データが記憶部１４に記憶されていない場合でも、表示制御装置ＣＶの取替え作業やバージョンアップ作業を行うことなしに、前記音データ指定情報により指定された音データに基づいてスピーカ部１５を鳴動できるようにすることを目的としている。
【０１２０】
かかる目的を達成するために、本実施形態の住宅設備監視システムでは、コントローラの記憶部に、コントローラ自身が保有するウェブページで使用する音データを記憶させている。また、コントローラは、ウェブページとともに当該ウェブページのソースに含まれる鳴動用タグが有する音データ指定情報で指定された音データを表示制御装置ＣＶに伝送するように構成されている。
【０１２１】
一方、表示制御装置ＣＶのウェブブラウザ手段１０ｂは、ウェブページと当該ウェブページのソースに含まれる鳴動用タグの音データ指定情報で指定された音データとを通信手段１０ａを介して受け取った際に、受け取ったウェブページを表示部１５の液晶ディスプレイ１５ａに表示させるとともに、受け取った音データ及び鳴動用タグに基づいてスピーカ部１５を鳴動させるように構成されている。尚、その他の構成は実施形態１と同様であるから説明を省略する。
【０１２２】
以上述べた本実施形態の住宅設備監視システムによれば、表示制御装置ＣＶにコントローラ等の他の装置からウェブページとともに当該ウェブページの鳴動用タグの音データ指定情報で指定された音データを伝送することによって、前記音データに基づいて表示制御装置ＣＶのスピーカ部１５を鳴動させることができるから、例えば宅内ネットワークにサブシステムを増設した際に、増設したサブシステムのコントローラで使用する音データが表示制御装置ＣＶの記憶部１４に記憶されていなくても、表示制御装置ＣＶを増設されたサブシステムに対応するものに取り替えたり、バージョンアップ作業を行ったりしなくても、所望の音データに基づいてスピーカ部１５を鳴動させることができるという効果を奏し、しかも表示制御装置ＣＶの取替え作業やバージョンアップ作業を行う必要がないから、可用性（障害の発生し難さ）を高めることができるようになるという効果を奏する。
【０１２３】
ところで、本実施形態の住宅設備監視システムでは、表示制御装置ＣＶの記憶部１４に記憶されていない音データであっても、当該音データを表示制御装置ＣＶに送ることによってスピーカ部１５から前記音データに基づく音を出力できるが、そのためには表示制御装置ＣＶの記憶部１４に記憶されていない音データをその都度、コントローラから表示制御装置ＣＶに送信する必要があり、コントローラから表示制御装置ＣＶへのデータの送信に時間がかかってしまう。
【０１２４】
そこで、鳴動用タグとして、表示制御装置ＣＶに当該鳴動用タグが有する音データ指定情報で指定された音データを記憶するように指示する指示情報を持たせることができるものを用いるようにしてもよい。この場合、表示制御装置ＣＶは、鳴動用タグが前記指示情報を有していれば、当該鳴動用タグの音データ指定情報で指定された音データを記憶部１４に記憶するように構成される。ここで、表示制御装置ＣＶが、前記指示情報にしたがって、コントローラから伝送された音データを記憶部１４に記憶した後には、その音データの伝送元のコントローラに当該音データを伝送する必要がない旨を通達し、以後、コントローラから同じ音データの伝送を行う必要がないようにすればよい。
【０１２５】
このようにすれば、コントローラから表示制御装置ＣＶに伝送した音データを表示制御装置ＣＶの記憶部１４に記憶させることができるので、表示制御装置ＣＶの記憶部１４に記憶されていない音データをその都度、表示制御装置ＣＶに伝送する必要がなくなって、コントローラから表示制御装置ＣＶにウェブページだけを伝送すれば済むようになるから、音データを伝送するために必要な時間を短縮できるようになるという効果を奏する。
【０１２６】
（実施形態３）
本実施形態の住宅設備監視システムは、実施形態２と同様に、増設されたサブシステムのコントローラより伝送されたウェブページのソースに含まれる鳴動用タグの音データ指定情報で指定された音データが表示制御装置ＣＶの記憶部１４に記憶されていない場合でも、表示制御装置ＣＶの取替え作業やバージョンアップ作業を行うことなしに、前記音データ指定情報により指定された音データに基づいてスピーカ部１５を鳴動できるようにすることを目的としている。尚、実施形態１と同様の構成については説明を省略する。
【０１２７】
かかる目的を達成するために、本実施形態の住宅設備監視システムでは、鳴動用タグとして、音データ指定情報と、当該音データ指定情報で指定された音データの保管場所を示す保管場所情報（例えばＵＲＬ）とを持たせることが可能なものを用いている。
【０１２８】
そして、本実施形態の住宅設備監視システムにおける表示制御装置ＣＶは、通信手段１０ａを介して受け取ったウェブページのソースに含まれる鳴動用タグが記憶部１４に記憶されていない音データを指定する音データ指定情報と保管場所情報とを有している場合には、前記保管場所にアクセスして前記保管場所から音データを取得して（ダウンロードして）記憶部１４に記憶するように構成されている。
【０１２９】
以上述べた本実施形態の住宅設備監視システムによれば、鳴動用タグの音データ指定情報で指定された音データが表示制御装置ＣＶの記憶部１４に記憶されていない場合でも、鳴動用タグに音データ指定情報で指定された音データの保管場所を示す保管場所情報を持たせておくことによって、表示制御装置ＣＶが保管場所から音データを取得して記憶部１４に記憶するようになっている。
【０１３０】
したがって、例えば保管場所となるサーバ等を宅内ネットワークに接続しておき、サーバのメンテナンスを行うことによって当該サーバに記憶されている音データのデータベースをアップデートすれば（サーバに所望の音データをアップロードすれば）、鳴動用タグによって表示制御装置ＣＶにサーバの音データをダウンロードさせることが可能となり、表示制御装置ＣＶを増設されたサブシステムに対応する新しいものに取り替えたり、表示制御装置ＣＶのバージョンアップ作業を行ったりしなくても、所望の音データに基づいてスピーカ部１５を鳴動させることができるという効果を奏し、しかも表示制御装置ＣＶの取替え作業やバージョンアップ作業を行う必要がないから、可用性（障害の発生し難さ）を高めることができるようになるという効果を奏する。
【０１３１】
また、宅内ネットワークに宅外ネットワークを通じて接続されたセンタ装置ＳＶが、宅内ネットワーク及び宅外ネットワークを通じて表示装置（表示制御装置ＣＶ等）にウェブページを提供するウェブサーバ手段（宅外ウェブサーバ手段）を有するようにしてもよい。ここで、センタ装置ＳＶから表示制御装置ＣＶに提供するウェブページとしては、例えば、新しいサブシステムを追加の通知等を行うための新規お知らせ画面を表示するウェブページ等が挙げられる。
【０１３２】
この新規お知らせ画面を表示するウェブページのソースファイルには、新しく追加されるサブシステムに関する情報（例えば、機能や、追加する音データの内容）を表示するためのテキスト用のタグと、追加する音データをスピーカ部１５から出力させるための鳴動用タグとが含まれている。また、鳴動用タグには音データ指定情報とともに保管場所情報が持たされており、これにより表示制御装置ＣＶの表示部１２の液晶ディスプレイ１２ａに新規お知らせ画面用のウェブページが表示されているときに、新しく追加されるサブシステムで使用される音データが記憶部１４に記憶されることになる。尚、新規お知らせ画面用のウェブページの表示は、必要な音データが全て記憶部１４に記憶されるまで継続して行わせるようにしてもよいし、必要な音データが全て記憶部１４に記憶される前に終了してウェブページの表示終了後は音データを記憶部１４に記憶する作業のみを行わせるようにしてもよい。また、追加する音データの保管場所としては、センタ装置ＳＶ自体を利用するようにしてもよく、この場合、保管場所情報としてはセンタ装置ＳＶの所定のＵＲＬを用いればよい。
【０１３３】
つまり、新しくサブシステムを追加する際に、センタ装置ＳＶから表示制御装置ＣＶに新規お知らせ画面用のウェブページを提供することによって、新しく追加されるサブシステムで使用する音データを予め表示制御装置ＣＶの記憶部１４に記憶させておくことが可能となる。尚、新規お知らせ画面用のウェブページをセンタ装置ＳＶから表示制御装置ＣＶに提供するタイミングは、実際にサブシステムの追加が行われるときであってもよいし、追加が行われる前であってもよい。また、センタ装置ＳＶから表示制御装置ＣＶに提供するウェブページは、上記のような新規お知らせ画面用のウェブページに限られるものではなく、例えば、センタ装置ＳＶのメンテナンス情報や、災害情報等、様々な情報をユーザに通知するためのウェブページであってもよい。
【０１３４】
以上述べたように、宅内ネットワークに宅外ネットワークを通じて接続されたセンタ装置ＳＶに、ウェブページを宅内ネットワーク及び宅外ネットワークを通じて表示装置（例えば、表示制御装置ＣＶ）に提供するウェブサーバ手段を設けるようにすれば、宅外ネットワークに接続されているセンタ装置ＳＶから宅内ネットワークに接続されている表示装置（例えば、表示制御装置ＣＶ）にウェブページを提供することができるから、例えば、住宅設備監視システムの更新情報や、センタ装置のメンテナンス情報、災害情報等、様々な情報を宅外からユーザに通知できるようになるという効果を奏する。
【０１３５】
尚、鳴動用タグに、指定した音データを消去するための音データ消去情報を持たせるようにしてもよく、ウェブブラウザ手段１０ｂが、音データ消去情報を有する鳴動用タグを受け取った際には、音データ消去情報により指定されている音データを表示制御装置ＣＶの記憶手段１４より消去するようにしてもよい。
【図面の簡単な説明】
【０１３６】
【図１】実施形態１の住宅設備監視システムに用いられる表示制御装置のブロック図である。
【図２】同上の外観正面図である。
【図３】同上の住宅設備監視システムのシステム構成図である。
【図４】同上の表示制御装置の動作説明用のフローチャートである。
【図５】同上の住宅設備監視システムに用いられる総合管理装置のブロック図である。
【図６】同上の住宅設備監視システムに用いられる設備機器コントローラのブロック図である。
【図７】同上の住宅設備監視システムに用いられる電流計測装置のブロック図である。
【図８】（ａ）は同上の住宅設備監視システムに用いられるセキュリティコントローラのブロック図、（ｂ）は同上の住宅設備監視システムに用いられる画像転送コントローラのブロック図である。
【符号の説明】
【０１３７】
ＣＶ    表示制御装置（表示装置）
１０    制御部
１０ａ  通信手段
１０ｂ  ウェブブラウザ手段
１０ｃ  ウェブサーバ手段
１１    ＬＡＮインタフェース部
１２    表示部（表示手段）
１３    操作部
１４    記憶部
１５    スピーカ部（音発生手段）
【図１】
2008104123.tif 000004
【図２】
2008104123.tif 000005
【図３】
2008104123.tif 000006
【図４】
2008104123.tif 000007
【図５】
2008104123.tif 000008
【図６】
2008104123.tif 000009
【図７】
2008104123.tif 000010
【図８】
2008104123.tif 000011